(57)【要約】【課題】パチンコ遊技機の遊技盤において、一部にベニヤ板以外の板部を用いて、ブナ等の木材の伐採抑制、省資源および自然環境の保護に貢献すること。【解決手段】遊技板３の前面にガイドレールが円弧状に延在して取り付けられ、該ガイドレールの内側に形成された遊技領域３００に対して発射装置２５から発射された遊技球を落下方向においてガイドまたは分散すべく多数の障害釘が植設されたパチンコ遊技機の遊技盤において、前記多数の障害釘が植設されている遊技者から見て遊技板３の左半分の部分３１については、ベニヤ板によって構成するとともに、前記障害釘が植設されていない遊技者から見て遊技板３の右半分の部分３２については、ベニヤ板以外の板部によって構成され、前記左半分の部分を構成するベニヤ板と前記右半分の部分を構成するベニヤ板以外の板部とが、その当接部において接合されていることから成るパチンコ遊技機の遊技盤。【選択図】図１
2012105735.tif 000002
【特許請求の範囲】
【請求項１】
遊技板の前面にガイドレールが延在して取り付けられ、該ガイドレールの内側に遊技領域が形成され、該遊技領域に対して発射装置から発射された遊技球を落下方向においてガイドまたは分散すべく多数の障害釘が植設されたパチンコ遊技機の遊技盤において、
遊技者から見て左半分の部分については、ベニヤ板によって構成するとともに、遊技者から見て右半分の部分については、ベニヤ板以外の板部によって構成されている
ことを特徴とするパチンコ遊技機の遊技盤。
【請求項２】
請求項１において、
前記左半分の部分を構成するベニヤ板と前記右半分の部分を構成するベニヤ板以外の板部とが一体的に配設されている
ことを特徴とするパチンコ遊技機の遊技盤。
【請求項３】
請求項２において、
前記左半分の部分を構成するベニヤ板と前記右半分の部分を構成するベニヤ板以外の板部とが、その当接部において接合されている
ことを特徴とするパチンコ遊技機の遊技盤。
【請求項４】
請求項２において、
前記左半分の部分を構成するベニヤ板と前記右半分の部分を構成するベニヤ板以外の板部との前記当接部に形成された前記係合部が、別部材によって構成されている
ことを特徴とするパチンコ遊技機の遊技盤。
【請求項５】
請求項２において、
前記左半分の部分を構成するベニヤ板と前記右半分の部分を構成するベニヤ板以外の板部との前記当接部が、表示装置または入賞装置ならびに役物その他を取り付けるための取付穴より上方の上方当接部に対して、前記取付穴より下方の下方当接部が左右方向において右方にオフセットしている
ことを特徴とするパチンコ遊技機の遊技盤。
【発明の詳細な説明】
【技術分野】
【０００１】
本発明は、遊技板の前面にガイドレールが延在して取り付けられ、該ガイドレールの内側に遊技領域が形成され、該遊技領域に対して発射装置から発射された遊技球を落下方向においてガイドまたは分散すべく多数の障害釘が植設されたパチンコ遊技機の遊技盤において、前記多数の障害釘が植設されている遊技者から見て左半分の部分については、ベニヤ板によって構成するとともに、前記障害釘が植設されていない遊技者から見て右半分の部分については、ベニヤ板以外の板部によって構成されているパチンコ遊技機の遊技盤に関するものである。
【背景技術】
【０００２】
従来のパチンコ遊技機の遊技盤は、図１６に示されるように遊技領域に表示装置または入賞装置に対応して中央に最も大きい取付孔を穿設してなるもので、最も大きい中央の前記取付孔を横切る態様に水平に切ることにより、上下に分割して複数の遊技板構成片を形成し、各遊技板構成片同士を組み合わせて一枚に仕立てるようにしたものであった。
【先行技術文献】
【特許文献】
【０００３】
【特許文献１】特開２００８−１８８４６３号公報
【発明の概要】
【発明が解決しようとする課題】
【０００４】
上記従来の従来のパチンコ遊技機の遊技盤は、拡大傾向のある最も大きい中央の前記取付孔を横切る態様に水平に切ることにより、予め上下に分割しておき、歪みや割れの発生を防止するものであるが、結果として大きなサイズのベニヤ板が必要であり、ブナ等の木材の伐採抑制、省資源および自然環境の保護に何ら貢献するものではないという問題があった。
【０００５】
そこで本発明者らは、省資源の観点よりパチンコ遊技機の遊技盤に用いるベニヤ板の量を抑制する点に着目して、遊技板の前面にガイドレールが延在して取り付けられ、該ガイドレールの内側に遊技領域が形成され、該遊技領域に対して発射装置から発射された遊技球を落下方向においてガイドまたは分散すべく多数の障害釘が植設されたパチンコ遊技機の遊技盤において、前記多数の障害釘が植設されている遊技者から見て左半分の部分のみにベニヤ板を配設して、前記障害釘が植設されていない遊技者から見て右半分の部分については、ベニヤ板以外の板部を配設するという本発明の技術的思想に着眼して、さらに研究開発を重ねた結果、ブナ等の木材の伐採抑制、省資源および自然環境の保護に貢献するという目的を達成する本発明に到達した。
【課題を解決するための手段】
【０００６】
本発明（請求項１に記載の第１発明）のパチンコ遊技機の遊技盤は、
遊技板の前面にガイドレールが延在して取り付けられ、該ガイドレールの内側に遊技領域が形成され、該遊技領域に対して発射装置から発射された遊技球を落下方向においてガイドまたは分散すべく多数の障害釘が植設されたパチンコ遊技機の遊技盤において、
遊技者から見て左半分の部分については、ベニヤ板によって構成するとともに、遊技者から見て右半分の部分については、ベニヤ板以外の板部によって構成されている
ものである。
【０００７】
本発明（請求項２に記載の第２発明）のパチンコ遊技機の遊技盤は、
前記第１発明において、
前記左半分の部分を構成するベニヤ板と前記右半分の部分を構成するベニヤ板以外の板部とが一体的に配設されている
ものである。
【０００８】
本発明（請求項３に記載の第３発明）のパチンコ遊技機の遊技盤は、
前記第２発明において、
前記左半分の部分を構成するベニヤ板と前記右半分の部分を構成するベニヤ板以外の板部とが、その当接部において接合されている
ものである。
【０００９】
本発明（請求項４に記載の第４発明）のパチンコ遊技機の遊技盤は、
前記第２発明において、
前記左半分の部分を構成するベニヤ板と前記右半分の部分を構成するベニヤ板以外の板部との前記当接部に形成された前記係合部が、別部材によって構成されている
ものである。
【００１０】
本発明（請求項５に記載の第５発明）のパチンコ遊技機の遊技盤は、
前記第２発明において、
前記左半分の部分を構成するベニヤ板と前記右半分の部分を構成するベニヤ板以外の板部との前記当接部が、表示装置または入賞装置ならびに役物その他を取り付けるための取付穴より上方の上方当接部に対して、前記取付穴より下方の下方当接部が左右方向において右方にオフセットしている
ものである。
【発明の効果】
【００１１】
上記構成より成る本発明のパチンコ遊技機の遊技盤は、ベニヤ板の使用量を減らすことにより、ブナ等の木材の伐採抑制、省資源および自然環境の保護に貢献するという効果を奏する。
【図面の簡単な説明】
【００１２】
【図１】本発明の第１実施例のパチンコ遊技機の遊技盤における遊技板を示す斜視図である。
【図２】本第１実施例におけるパチンコ遊技機の全体を示す正面図である。
【図３】本第１実施例におけるパチンコ遊技機の全体を示す一部省略平面図である。
【図４】本発明の第２実施例のパチンコ遊技機の遊技盤における遊技板を示す斜視図である。
【図５】本第２実施例における遊技板の接合部を示す要部拡大斜視図である。
【図６】本発明の第３実施例のパチンコ遊技機の遊技盤における遊技板の正面を示す斜視図である。
【図７】本第３実施例のパチンコ遊技機の遊技盤における遊技板の裏面を示す斜視図である。
【図８】本第３実施例における遊技板の接合部を示す要部拡大斜視図である。
【図９】本発明の第４実施例のパチンコ遊技機の遊技盤における遊技板の正面を示す斜視図である。
【図１０】本第４実施例のパチンコ遊技機の遊技盤における遊技板の正面を示すその他の斜視図である。
【図１１】本第４実施例における遊技板の接合部を示す要部拡大斜視図である。
【図１２】本発明の第５実施例のパチンコ遊技機の遊技盤における遊技板の正面を示す斜視図である。
【図１３】本第４実施例における遊技板のベニヤ板の接合部を示す要部拡大斜視図である。
【図１４】本発明の第６実施例のパチンコ遊技機の遊技盤における遊技板の正面を示す斜視図である。
【図１５】本発明のその他の実施形態における遊技板の接合部を示す要部拡大斜視図である。
【図１６】従来のパチンコ遊技機における遊技板を示す斜視図である。
【発明を実施するための形態】
【００１３】
以下、本発明の最良の実施形態について、実施例に基づき図面を用いて説明する。
【実施例１】
【００１４】
本第１実施例のパチンコ遊技機の遊技盤は、図１ないし図３に示されるように遊技板３の前面にガイドレールが円弧状に延在して取り付けられ、該ガイドレールの内側に遊技領域３００が形成され、該遊技領域３００に対して発射装置２５から発射された遊技球を落下方向においてガイドまたは分散すべく多数の障害釘が植設されたパチンコ遊技機の遊技盤において、前記多数の障害釘が植設されている遊技者から見て遊技板３の左半分の部分３１については、ベニヤ板によって構成するとともに、前記障害釘が植設されていない遊技者から見て遊技板３の右半分の部分３２については、ベニヤ板以外の板部によって構成され、前記左半分の部分を構成するベニヤ板と前記右半分の部分を構成するベニヤ板以外の板部とが、その当接部において接合されているものである。
【００１５】
そこでまず本第１実施例におけるパチンコ遊技機の全体構成について、図２および図３に示される正面図を用いて具体的に説明する。
本第１実施例のパチンコ遊技機は、図２および図３に示されるように遊技機本体１が、外郭となる矩形形状の外枠２を有し、遊技板３すなわち遊技盤３０が、当該外枠２内に着脱可能に収納され、係止手段ＫＭによって取り付けられている。
【００１６】
前面枠１６は、例えば前面主要部を構成する透明なガラス窓１７、下端中央の突出部に形成された受け皿部１８、右端略中央部に形成された鍵穴１９、および前記鍵穴１９下方に配設された発射ハンドル２５等を備え、前記遊技盤３０の前面側に前記外枠２に対して揺動開閉可能に取り付けられている。
【００１７】
前記受け皿部１８は、前記前面枠１６の下部に配設され、前記発射ハンドル２５を操作することにより発射される遊技球が貯留されるように構成されている。  
【００１８】
前記発射ハンドル２５は、当該発射ハンドル２５の軸部に対して相対回転可能に配設され、前記受け皿部１８に貯留された遊技球を打ち出すために遊技者が回転操作する発射レバー２５ａと、当該ハンドル操作を行っている状態で遊技球の発射を一時的に停止させるためのウェイトボタン（図示せず）と、前記発射ハンドル２５の外周部に施された導電性メッキ部を用いて、当該導電性メッキ部に接している物体の静電気容量の変化を検出することによりハンドル操作が遊技者の手によるものであるか否かを判断するタッチセンサ（図示せず）とを備える。
【００１９】
さらに本第１実施例におけるパチンコ遊技機の具体的構成について説明する。
本第１実施例におけるパチンコ遊技機は、図２に示されるように遊技球が自重により遊技盤３０に沿って流下する遊技領域３００と、遊技球が進入することによってその後の遊技状況に影響を与えるトリガー手段としてのゲートＧを備えている。
【００２０】
第１実施例におけるパチンコ遊技機は、遊技球を発射させるための操作ハンドル２５と、発射された遊技球が自重により遊技盤３０の左側のレールの内側に沿って流下する多数の障害釘が植設された遊技領域３００の上流領域３０１と、前記遊技盤３の略中央に配置された図柄変動装置５と、該図柄変動装置５の下方の遊技領域３００の下流領域３０２に配置される遊技球が入賞することにより大当り抽選および表示演出抽選等を行なう始動入賞口９と、前記始動入賞口９における検知出力によって特別図柄抽選を行ない該特別図柄抽選の抽選結果に基づいて作動する大入賞口７と、前記ゲートＧにおける検知出力によって普通図柄抽選を行ない該普通図柄抽選の抽選結果に基づいて作動する電動チューリップ８を備えている。
【００２１】
前記遊技盤３０の略中央に配置された前記図柄変動装置５の下方の遊技領域３０の下流領域３０２には、例えば略Ｖ字状に複数列に亘り多数の障害釘が植設され、遊技領域３０の上流領域３０１に沿って流下してきた遊技球を斜め下方にガイドするとともに分散させることにより、遊技球の前記始動入賞口９と、前記大入賞口７と、前記電動チューリップ８への進入をコントロールするように構成されている。
【００２２】
前記図柄変動装置５は、前記遊技盤３０の略中央部に配設され、装飾図柄等の各種の図柄を変動表示したり、それぞれの演出や遊技状態に応じた演出画像等を表示する液晶画面をその前面に備え、前記遊技板３の中央の円形穴３３に装着される。
【００２３】
本第１実施例のパチンコ遊技機においては、遊技者が前記操作ハンドル２５を操作することによって遊技球が発射され、該遊技球が前記遊技領域３００に送り込まれることにより遊技が開始されるように構成されているものである。
【００２４】
前記電動チューリップ８は、前記遊技領域３０における前記始動入賞口９の略下方に配設され、前記ゲートＧに遊技球が進入したことがゲート進入検知スイッチにおいて検知された際に普通図柄抽選を行ない該普通図柄抽選の抽選結果に当選した場合に、ソレノイドの駆動力に基づき一定時間開放されるものであり、本第１実施例におけるパチンコ遊技機では一例として確変遊技状態および時短遊技状態等においては１．２秒間開放される動作を４回繰り返すとともに、通常遊技状態および大当たり遊技状態等においては０．１５秒間開放される動作を１回行なうものである。
【００２５】
パチンコ遊技機の遊技盤３０は、中央に液晶表示装置を配設するための円形の穴３３が形成された矩形部材の前記遊技板３によって構成され、該矩形部材の前記遊技板１が左右方向に２分割されており、ベニヤ板によって構成された多数の障害釘が植設される左半分の部分３１と、前記障害釘が植設されていない遊技者から見て右半分の部分３２とから成る。
【００２６】
前記ベニヤ板によって構成された前記左半分の部分３１とベニヤ板以外の板部によって構成される前記右半分の部分３２との間の当接部３４は、図１に示されるように表示装置および入賞装置を取り付けるための円形の取付穴３３より上方の上方当接部３４１に対して、前記取付穴より下方の下方当接部３４２が左右方向において右方にオフセットするように構成されている。
【００２７】
前記ベニヤ板によって構成された前記左半分の部分３１とベニヤ板以外の板部によって構成される前記右半分の部分３２は、両者の上下の当接部３４１、３４２において接着剤によって化学的に接合されている。
【００２８】
両者の上下の当接部３４１、３４２において接着剤によって化学的に接合された前記ベニヤ板によって構成された前記左半分の部分３１とベニヤ板以外の板部によって構成される前記右半分の部分３２は、一体化して一体的に配設されている。
【００２９】
前記遊技板３の前記左半分の部分３１は、ブナ等の合板より成るベニヤ板によって構成されている。
【００３０】
前記遊技板３の前記右半分の部分３２は、ベニヤ板以外の板部材によって構成され、合成樹脂または合成樹脂と木質材、植物材等のセルロース系材料またはそれらの廃材その他との混合物または成形材によって構成されているものである。  
【００３１】
前記合成樹脂としては、ＡＢＳ樹脂やポリエチレンその他の多くの合成樹脂が利用可能であり、生分解性樹脂または光分解性樹脂を利用すればリサイクルが可能になる。
【００３２】
前記木質材としては、街路樹として植えられている木々の剪定枝葉や、間伐材、製材所から出る端材やおがくず、集成材等の木質材またはそれらの廃材等のセルロース系材料およびそれらの小片も利用可能である。
【００３３】
植物材等としては、稲、小麦またはすすきその他の茎や葉、お茶の葉、籾殻等の植物材またはそれらの廃材等のセルロース系材料およびそれらの小片も利用可能である。
【００３４】
化学的に接合された前記ベニヤ板によって構成された前記左半分の部分３１とベニヤ板以外の板部によって構成される前記右半分の部分３２が、一体化された遊技板３の裏面には、主制御基板、演出制御基板のような各種制御基板や、モータ、ソレノイド等の各種アクュエータ等（図示せず）が配設され、図３に示されるようにこれらの装着物を包囲するようにバックカバーＢＫがビスなどにより固着されている。前記主制御基板、演出制御基板を、遊技板３の裏面に配設する代わりに前記バックカバーＢＫに配設することも出来る。
【００３５】
上記構成より成る本第１実施例のパチンコ遊技機の遊技盤は、遊技板の前面にガイドレールが延在して取り付けられ、該ガイドレールの内側に遊技領域が形成され、該遊技領域に対して発射装置から発射された遊技球を落下方向においてガイドまたは分散すべく多数の障害釘が植設されたパチンコ遊技機の遊技盤において、前記多数の障害釘が植設されている遊技者から見て左半分の部分については、ベニヤ板によって構成するとともに、前記障害釘が植設されていない遊技者から見て右半分の部分については、ベニヤ板以外の板部材によって構成されているので、ベニヤ板の使用量を減らすことにより、ブナ等の木材の伐採抑制、省資源および自然環境の保護に貢献するという効果を奏するものである。
【００３６】
また本第１実施例のパチンコ遊技機の遊技盤は、前記ベニヤ板によって構成された前記左半分の部分３１とベニヤ板以外の板部によって構成された前記右半分の部分３２とが一体的に配設されているので、前記遊技板３のベニヤ板の前記左半分の部分３１およびベニヤ板以外の板部の前記右半分の部分３２の前面および後面に配設される障害釘、役物や基板その外の各要素の配設を可能にするという効果を奏する。
【００３７】
さらに本第１実施例のパチンコ遊技機の遊技盤は、前記ベニヤ板によって構成された前記左半分の部分３１をベニヤ板以外の板部によって構成された前記右半分の部分３２に対して、その当接部に形成された係合部によって化学的に接合されているので、化学的接合剤としての接着剤によって簡単且つ強固に接合出来るという効果を奏する。
【００３８】
また第１実施例のパチンコ遊技機の遊技盤は、当該遊技盤３０の左側のレールの内側に沿って発射された遊技球が流下する多数の障害釘が植設された遊技領域３００の上流領域３０１と、前記遊技盤３の略中央に配置された前記図柄変動装置５の下方の略Ｖ字状に複数列に亘り多数の障害釘が植設され、遊技領域３０の上流領域３０１に沿って流下してきた遊技球を斜め下方にガイドするとともに分散させる遊技領域３００の下流領域３０２は、ベニヤ板によって構成されている前記左半分の部分３１に形成されているので、植設された多数の障害釘の固着状態および姿勢が安定しているという効果を奏するとともに、障害釘の調整も確実容易であるという効果を奏する。
【００３９】
さらに本第１実施例のパチンコ遊技機の遊技盤は、前記ベニヤ板によって構成された前記左半分の部分３１とベニヤ板以外の板部材によって構成される前記右半分の部分３２との間の当接部３４は、図１に示されるように表示装置および入賞装置を取り付けるための円形の取付穴３３より上方の上方当接部３４１に対して、前記取付穴より下方の下方当接部３４２が左右方向において右方にオフセットして形成されているので、前記図柄変動装置５の下方の遊技領域３００の下流領域３０２の広い範囲に亘り、多数の障害釘を植設することを可能にすることが出来るという効果を奏する。
【実施例２】
【００４０】
本第２実施例のパチンコ遊技機の遊技盤は、図４および図５に示されるように遊技板３の前記ベニヤ板によって構成された左半分の部分３１とベニヤ板以外の板部によって構成される右半分の部分３２との間の当接部３４を構成する各当接面３４１、３４２に突出部が突出形成されている点が上述の第１実施例との相違点であり、以下相違点を中心に説明して、同一部分の説明は省略する。
【００４１】
本第２実施例のパチンコ遊技機の遊技盤は、図４および図５に示されるように前記遊技板３の前記左半分の部分３１と前記右半分の部分３２との間の当接部３４を構成する各当接面３４１、３４２に互い違いになるように矩形の横断面形状の３面の突出接合面を有する突出部３４３、３４４が突出形成されているとともに、前記各当接面３４１、３４２に当該突出部３４３、３４４が収納される矩形の溝部３４５、３４６が穿設されている。
前記下方当接面３４２を跨って、始動入賞口９を構成する縦長の穴と大入賞口７を構成する横長矩形穴が形成されている。
【００４２】
上記構成より成る本第２実施例のパチンコ遊技機の遊技盤は、当接部３４を構成する各当接面３４１、３４２と互い違いになるように突出形成された矩形の横断面形状の突出部３４３、３４４および前記溝部３４５、３４６の各３面の穿設接合面に接着剤を塗布した後、各当接面３４１、３４２と互い違いになるように突出形成された矩形の横断面形状の突出部３４３、３４４を前記溝部３４５、３４６内に収納させて、ぴったり接合される。
【００４３】
上記本第２実施例のパチンコ遊技機の遊技盤は、前記遊技板３の前記左半分の部分３１と前記右半分の部分３２との間の当接部３４を構成する各当接面３４１、３４２に突出部３４３、３４４が突出形成されているので、前記各当接面３４１、３４２と前記突出部３４３、３４４によって接合されるので、強固な接合強度が得られるという効果を奏する。
【００４４】
また本第２実施例のパチンコ遊技機の遊技盤は、各当接面３４１、３４２と互い違いになるように突出形成された矩形の横断面形状の突出部３４３、３４４を前記溝部３４５、３４６内に収納させて、接着剤により各３面の穿設接合面および突出接合面によってぴったり接合されるので、接合面の接着面積を数倍増やすため、一層強固な接合強度が得られるという効果を奏する。
【実施例３】
【００４５】
本第３実施例のパチンコ遊技機の遊技盤は、図６ないし図８に示されるように遊技板３のベニヤ板以外の板部によって構成される右半分の部分３２をベニヤ板によって構成されている左半分の部分３１に比べて薄くするとともに、前記右半分の部分３２の当接面３４２のみに突出部が突出形成されている点が上述の第２実施例との相違点であり、以下相違点を中心に説明して、同一部分の説明は省略する。
【００４６】
本第３実施例のパチンコ遊技機の遊技盤は、図６および図７に示されるようにベニヤ板によって構成されている左半分の部分３１とベニヤ板以外の板部材によって構成される前記右半分の部分３２とから成る前記遊技板３の中央には、装飾図柄等の各種の図柄を変動表示したり、それぞれの演出や遊技状態に応じた演出画像等を表示する液晶画面をその前面に備える図柄変動装置５を配設するためのは円形穴３３が形成されているとともに、左下方から斜め上方に突出する可動役物を収納する為の略ノの字状穴３４が前記右半分の部分３２に形成されている。
【００４７】
前記遊技板３の前記ベニヤ板によって構成された前記左半分の部分３１の前記当接面３４１には、前記当接部３４を構成する前記各当接面３４２に突出形成された矩形の横断面形状の３面の突出接合面を有する突出部３４３を収納するための矩形の溝部３４５が穿設されている。
前記第２実施例と同様に当接面３４２を跨って始動入賞口および大入賞口用の穴部が形成されているが、始動入賞口用の穴部の前面に始動入賞口９が配設され、障害釘（図示せず）中に配設される風車９Ｗを例示的に図示した。
【００４８】
上記構成より成る本第３実施例のパチンコ遊技機の遊技盤は、当接部３４を構成する各当接面３４１、３４２と突出形成された矩形の横断面形状の突出部３４３および前記溝部３４５の各３面の穿設接合面に接着剤を塗布した後、各当接面３４１、３４２と突出形成された矩形の横断面形状の突出部３４３を前記溝部３４５内に収納させて、ぴったり接合される。
【００４９】
上記本第３実施例のパチンコ遊技機の遊技盤は、前記遊技板３の前記右半分の部分３２の当接部３４を構成する前記当接面３４２に突出部３４３が突出形成されているので、前記各当接面３４１、３４２と前記突出部３４３によって接合されるので、強固な接合強度が得られるという効果を奏する。
【００５０】
また本第３実施例のパチンコ遊技機の遊技盤は、前記当接面３４２に突出形成された矩形の横断面形状の突出部３４３を前記溝部３４５に収納させて、接着剤により３面の穿設接合面および突出接合面によってぴったり接合されるので、接合面の接着面積を増やすため、強固な接合強度が得られるという効果を奏する。  
【００５１】
また本第３実施例のパチンコ遊技機の遊技盤は、前記遊技板３のベニヤ板以外の板部によって構成される前記右半分の部分３２をベニヤ板によって構成されている左半分の部分３１に比べて薄くしたので、遊技盤の軽量化を実現するという効果を奏する。
【００５２】
さらに本第３実施例のパチンコ遊技機の遊技盤は、略ノの字状穴３４が前記右半分の部分３２に形成されているので、収納されている前記可動役物の前記遊技盤の右下方から斜め上方に突出する動きを実現するという効果を奏する。
【００５３】
また本第３実施例のパチンコ遊技機の遊技盤は、ベニヤ板の左半分の部分３１の半円状の穴部３３に図柄変動装置５やセンター役物を装着した後に、ベニヤ板以外の右半分の部分３２を、その前記突出部に接着剤を塗布して横方向中央に向けてスライドさせるだけで、ぴったり接合するとともに図柄変動装置などを装着できるという効果を奏する。
【実施例４】
【００５４】
第４実施例のパチンコ遊技機の遊技盤は、図９ないし図１１に示されるようにベニヤ板によって構成される左半分の部分３１とベニヤ板以外の板部によって構成される右半分の部分３２の前記当接部に形成された係合部が、別部材によって構成されている点が上述の実施例との相違点であり、以下相違点を中心に説明して、同一部分の説明は省略する。
【００５５】
前記係合部を構成する別部材の係合部材３５は、図１１に示されるように略クランク形状の横断面形状を有し、前記ベニヤ板によって構成される前記左半分の部分３１の当接面３４１の厚さ方向の一端に形成された溝３４７に収納される第１の突出部３５１と、前記ベニヤ板以外の板部材によって構成される前記右半分の部分３２の前記当接面３４２の厚さ方向の他端に形成された溝３４８に収納される第２の突出部３５２と、前記第１の突出部３５１と第２の突出部３５２とを連結する連結部３５０とから成る。
【００５６】
また前記遊技板３の前記右半分の部分３２において、左下方から斜め上方に突出する可動役物を収納する為の略ノの字状穴３４が形成されているとともに、前記遊技板３の前記左半分の部分３１において、右下方から斜め上方に突出する可動役物を収納する為の略ノの字状穴３６が形成されている。
【００５７】
上記構成より成る本第４実施例のパチンコ遊技機の遊技盤は、当接部３４を構成する前記ベニヤ板によって構成される前記左半分の部分３１および前記右半分の部分３２の当接面３４１、３４２および溝部３４７、３４８と前記係合部材３５の第１および第２の突出部３５１および３５２ならびに連結部３５０の当接面接着剤を塗布した後、前記左半分の部分３１および前記右半分の部分３２の間に前記係合部材３５を介挿して、ぴったり接合される。
【００５８】
上記本第４実施例のパチンコ遊技機の遊技盤は、前記遊技板３の前記左半分の部分３１および前記右半分の部分３２の当接部３４を構成する前記当接面３４１、３４２に前記溝部３４７および３４８を形成することにより、相対的に突出部３４３が突出形成されているので、前記係合部材３５と前記各当接面３４１、３４２と前記溝部３４７および３４８すなわち前記突出部によって接合されるので、強固な接合強度が得られるという効果を奏する。
【００５９】
また本第４実施例のパチンコ遊技機の遊技盤は、前記係合部材３５に突出形成された矩形の横断面形状の突出部３５１を前記当接面３４１、３４２の前記溝部３４７および３４８に収納させて、接着剤により３面の穿設接合面および突出接合面によってぴったり接合されるので、接合面の接着面積を増やすため、強固な接合強度が得られるという効果を奏する。
【００６０】
さらに本第４実施例のパチンコ遊技機の遊技盤は、略ノの字状穴３４、３６が前記左半分の部分３１および前記右半分の部分３２に形成されているので、収納されている前記可動役物の前記遊技盤の中央の２か所から斜め上方に突出する動きを実現するという効果を奏する。
【００６１】
また第４実施例のパチンコ遊技機の遊技盤は、図９から明らかな様にベニヤ板の左半分の部分３１と右半分の部分３２とが前記接合部３５を挟んで左右対称の形状に設定されているので、１枚のベニヤ板から２台分のベニヤ板の左半分の部分３１を得ることが出来、より経済的であるという効果を奏する。
【実施例５】
【００６２】
第５実施例のパチンコ遊技機の遊技盤は、図１２および図１３に示されるようにベニヤ板によって構成される左半分の部分３１の右側面の上下端より左右方向において右方に突出する上下突出部３１１および３１２が一体的に形成されることにより、矩形の凹部３７が形成され、ベニヤ板以外の板部によって構成される右半分の部分３２が、前記ベニヤ板の前記矩形の凹部に介挿される点が上述の実施例との相違点であり、以下相違点を中心に説明して、同一部分の説明は省略する。
【００６３】
第５実施例のパチンコ遊技機の遊技盤は、図１２に示されるようにベニヤ板によって構成されている右半分の部分３１とベニヤ板以外の板部によって構成される前記右半分の部分３２とから成る前記遊技板３の中央には、装飾図柄等の各種の図柄を変動表示したり、それぞれの演出や遊技状態に応じた演出画像等を表示する液晶画面をその前面に備える図柄変動装置を配設するための矩形の穴３３が形成されている。
【００６４】
本第５実施例において、ベニヤ板によって構成される左半分の部分３１の右側面の上下端より左右方向において右方に突出する上下突出部３１１および３１２が一体的に形成するために、大きなサイズのベニヤ板から矩形の凹部３７を切除して切り出すことにより、遊技板３の左半分の部分３１を形成する方法と、図１３に示されるように上下突出部３１１および３１２のみを別体で作っておいて、両者の当接面に雌雄のＶ字状の係合部３１７を形成して、Ｖ字状の係合部３１７を介して一体的に接合することにより、小さなサイズのベニヤ板を組み合わせて遊技板３の左半分の部分３１を構成する方法があるが、後者の場合は大きなサイズのベニヤ板を必要とする前者に比べて、ベニヤ板用のブナ等の木材の伐採抑制、省資源および自然環境の保護に貢献するようにすることが出来る。
【００６５】
上記構成より成る本第５実施例パチンコ遊技機の遊技盤は、ベニヤ板によって構成される前記左半分の部分３１の右側面の上下端より一体的に形成された左右方向において右方に突出する上下突出部３１１および３１２によって形成された前記矩形の凹部３７を構成する複数の側面の表面に接着剤を塗布しておき、ベニヤ板以外の板部材によって構成される前記右半分の部分３２を、前記ベニヤ板の前記左半分の部分３１の前記矩形の凹部に介挿して接合することにより、一体化して、一枚の遊技板３を完成させるものである。
【００６６】
本第５実施例パチンコ遊技機の遊技盤は、ベニヤ板によって構成される前記左半分の部分３１の右側面の上下端より一体的に形成された左右方向において右方に突出する上下突出部３１１および３１２によって形成された前記矩形の凹部３７を構成する複数の側面の表面に接着剤を塗布しておき、ベニヤ板以外の板部によって構成される前記右半分の部分３２を、前記ベニヤ板の前記左半分の部分３１の前記矩形の凹部に介挿して接合することにより、一体化させるものであるので、前記ベニヤ板以外の板部の３個の側面で前記ベニヤ板の前記左半分の部分３１の前記矩形の凹部３７の各側面に接着されるため、トータルの接着面積が大きいとともに、前記ベニヤ板の前記左半分の部分３１の枠内に前記ベニヤ板以外の板部の前記右半分の部分３２を配置して一体化するものであるため、前記ベニヤ板以外の板部の前記右半分の部分３２と前記ベニヤ板の前記左半分の部分３１への一体性および遊技板３の全体の剛性を高めるという効果を奏する。
【００６７】
また本第５実施例パチンコ遊技機の遊技盤は、図１３に示されるように上下突出部３１１および３１２のみを別体で作っておいて、両者の当接面に雌雄のＶ字状の係合部３１７を形成して、Ｖ字状の係合部３１７を介して一体的に接合することにより、小さなサイズのベニヤ板を組み合わせて遊技板３の左半分の部分３１を構成する方法を採用した場合は大きなサイズのベニヤ板から切り出す方法を採用する場合に比べて、一層ベニヤ板用のブナ等の木材の伐採抑制、省資源および自然環境の保護に貢献するようにすることが出来るという効果を奏する。
【００６８】
さらに本第５実施例パチンコ遊技機の遊技盤は、図１３に示されるように別体で作って上下突出部３１１および３１２の当接面に雌雄のＶ字状の係合部３１７を形成して、Ｖ字状の係合部３１７を介して一体的に接合することにより、楔作用による機械的に強固な結合により一体化するという効果を奏するとともに、前記ベニヤ板の前記左半分の部分３１および前記ベニヤ板以外の板部材の前記右半分の部分３２の前面および後面に配設される障害釘その他の必要な各要素の配設を可能にするという効果を奏する。
【実施例６】
【００６９】
第６実施例のパチンコ遊技機の遊技盤は、図１４に示されるようにベニヤ板によって構成される左半分の部分３１の右側面の上下端より左右方向において右方に突出する上下突出部３１１および３１２と、その右端同志を上下方向に延在して連結する連結部３１３とが一体的に形成されることにより、矩形の穴部３８が形成され、ベニヤ板以外の板部によって構成される右半分の部分３２が、前記ベニヤ板の前記左半分の部分３１の前記矩形の穴部３８に挿着されることにより一体的に形成される点が上述の実施例５との相違点であり、以下相違点を中心に説明して、同一部分の説明は省略する。
【００７０】
本第６実施例のパチンコ遊技機の遊技盤は、図１４に示されるようにベニヤ板によって構成されている右半分の部分３１とベニヤ板以外の板部によって構成される前記右半分の部分３２とから成る前記遊技板３の中央には、装飾図柄等の各種の図柄を変動表示したり、それぞれの演出や遊技状態に応じた演出画像等を表示する液晶画面をその前面に備える図柄変動装置を配設するための略六角形の穴３３が形成されている。
【００７１】
本第６実施例において、ベニヤ板によって構成される左半分の部分３１の右側面の上下端より左右方向において右方に突出する上下突出部３１１、３１２および連結部３１３を一体的に形成するために、大きなサイズのベニヤ板から矩形の凹部３７を切除して切り出すことにより、遊技板３の左半分の部分３１を形成する方法と、第５実施例と同様に図１３に示されるように上下突出部３１１、３１２および連結部３１３をそれぞれ別体で予め作っておいて、各当接面に雌雄のＶ字状の係合部３１７を形成して、Ｖ字状の係合部３１７を介して一体的に接合することにより、小さなサイズのベニヤ板を組み合わせて右側に矩形の凹部３８を備えた遊技板３の左半分の部分３１を構成する方法があるが、後者の場合は大きなサイズのベニヤ板を必要とする前者に比べて、ベニヤ板用のブナ等の木材の伐採抑制、省資源および自然環境の保護に貢献するようにすることが出来る。
【００７２】
上記構成より成る本第６実施例パチンコ遊技機の遊技盤は、ベニヤ板によって構成される前記左半分の部分３１の右側面の上下端より一体的に形成された左右方向において右方に突出する上下突出部３１１、３１２および連結部３１３によって形成された前記矩形の凹部３８を構成する４個の側面の表面に接着剤を塗布しておき、ベニヤ板以外の板部材によって構成される前記右半分の部分３２を、前記ベニヤ板の前記左半分の部分３１の前記矩形の凹部３８に介挿して接合することにより、一体化して、一枚の遊技板３を完成させるものである。
【００７３】
本第６実施例パチンコ遊技機の遊技盤は、ベニヤ板によって構成される前記左半分の部分３１の右側面の上下端より一体的に形成された左右方向において右方に突出する上下突出部３１１、３１２および連結部３１３によって形成された前記矩形の凹部３８を構成する４個の側面の表面に接着剤を塗布しておき、ベニヤ板以外の板部によって構成される前記右半分の部分３２を、前記ベニヤ板の前記左半分の部分３１の前記矩形の凹部に介挿して接合することにより、一体化させるものであるので、前記ベニヤ板以外の板部材の４個の側面で前記ベニヤ板の前記左半分の部分３１の前記矩形の凹部３８の各側面に接着されるため、トータルの接着面積が大きいとともに、前記ベニヤ板の前記左半分の部分３１の完全な枠内に前記ベニヤ板以外の板部の前記右半分の部分３２を配置して一体化するものであるため、前記ベニヤ板以外の板部の前記右半分の部分３２と前記ベニヤ板の前記左半分の部分３１への一体性および遊技板３の全体の剛性を高めるという効果を奏する。
【００７４】
また本第６実施例パチンコ遊技機の遊技盤は、図１４中破線で示されるように上下突出部３１１、３１２および連結部３１３を予め別体で作っておいて、図１３に示されるようにそれぞれの当接面に雌雄のＶ字状の係合部３１７を形成して、Ｖ字状の係合部３１７を介して一体的に接合することにより、小さなサイズのベニヤ板を組み合わせて遊技板３の左半分の部分３１を構成する方法を採用した場合は大きなサイズのベニヤ板から切り出す方法を採用する場合に比べて、一層ベニヤ板用のブナ等の木材の伐採抑制、省資源および自然環境の保護に貢献するようにすることが出来るという効果を奏する。
【００７５】
さらに本第６実施例パチンコ遊技機の遊技盤は、別体で作った上下突出部３１１、３１２および連結部３１３の各当接面に、図１３に示されるように雌雄のＶ字状の係合部３１７を形成して、Ｖ字状の係合部３１７を介して一体的に接合することにより、楔作用による機械的に強固な結合により一体化するという効果を奏するとともに、前記ベニヤ板の前記左半分の部分３１および前記ベニヤ板以外の板部材の前記右半分の部分３２の前面および後面に配設される障害釘その他の必要な各要素の配設を可能にするという効果を奏する。
【００７６】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【００７７】
上述の第１実施例においては、一例として前記ベニヤ板の前記左半分の部分３１の右側面および前記ベニヤ板以外の板部の前記右半分の部分３２の左側面の平坦な前記当接面に接着剤を塗布して接合する例について説明したが、本発明としてはそれらに限定されるものではなく、例えば前記ベニヤ板の前記左半分の部分３１の右側面および前記ベニヤ板以外の板部の前記右半分の部分３２の左側面の前記当接面に図１３に示されるようなＶ字状の係合部３１７を形成して、接着剤による化学的な結合に加え、楔作用による機械的な結合により強固に一体化する態様を採用することが出来る。
【００７８】
上述の実施例においては、一例として前記ベニヤ板の前記左半分の部分３１と前記ベニヤ板以外の板部材の前記右半分の部分３２とを一体化した前記遊技板３をパチンコ遊技機の外枠内に装着して係止する例について説明したが、本発明としてはそれらに限定されるものではなく、前面枠と同様に幅方向の一端を支点として揺動する金属、木製、樹脂製その他の枠体に前記ベニヤ板の前記左半分の部分３１と前記ベニヤ板以外の板部材の前記右半分の部分３２とを一体化した前記遊技板３をビスその他の固着手段により一体的に固着する態様を採用することが出来る。
【００７９】
上述の第２実施例ないし第４においては、一例として前記ベニヤ板の前記左半分の部分３１と前記ベニヤ板以外の板部の前記右半分の部分３２との当接面に接着面積を増加させるために矩形の突出部３４３、３４４、３５１、３５２を形成する例について説明したが、本発明としてはそれらに限定されるものではなく、図１５に代表的に例示するように矩形の突出部３４３および３４４の先端部に前記左半分の部分３１および前記右半分の部分３２の厚さ方向に突出した係止部３４３１および３４４１を形成することにより、抜け止め効果を高め、接合および接着面積を更に増加させて、前記左半分の部分３１および前記右半分の部分３２の接合強度を高める態様を採用することが出来る。
【産業上の利用可能性】
【００８０】
遊技板の前面にガイドレールが円弧状に延在して取り付けられ、該ガイドレールの内側に遊技領域が形成され、該遊技領域に対して発射装置から発射された遊技球を落下方向においてガイドまたは分散すべく多数の障害釘が植設されたパチンコ遊技機の遊技盤において、前記多数の障害釘が植設されている遊技者から見て遊技板の左半分の部分については、ベニヤ板によって構成するとともに、前記障害釘が植設されていない遊技者から見て遊技板の右半分の部分については、ベニヤ板以外の板部によって構成され、前記左半分の部分を構成するベニヤ板と前記右半分の部分を構成するベニヤ板以外の板部とが、その当接部において接合されているもので、ベニヤ板用のブナ等の木材の伐採抑制、省資源および自然環境の保護に貢献する用途に適用できる。
【符号の説明】
【００８１】
３  遊技板
２５  発射装置
３１  左半分の部分
３２  右半分の部分
３００  遊技領域
【図１】
2012105735.tif 000003
【図２】
2012105735.tif 000004
【図３】
2012105735.tif 000005
【図４】
2012105735.tif 000006
【図５】
2012105735.tif 000007
【図６】
2012105735.tif 000008
【図７】
2012105735.tif 000009
【図８】
2012105735.tif 000010
【図９】
2012105735.tif 000011
【図１０】
2012105735.tif 000012
【図１１】
2012105735.tif 000013
【図１２】
2012105735.tif 000014
【図１３】
2012105735.tif 000015
【図１４】
2012105735.tif 000016
【図１５】
2012105735.tif 000017
【図１６】
2012105735.tif 000018